(57)【要約】【課題】  混合物の混合後には、異種内容物を収納する収納部を構成する押下げ部材をキャップ内に押込み、キャップの把持、開閉操作が容易にできるようにした二種内容物混合容器を提供すること。【解決手段】  内容液を収納した容器と、押下げ部材と係止部材とを装着し、容器の内容液とは異なる内容物を収納する収納部を設けたキャップとからなる二種内容物混合容器であって、キャップの内容物の収納部は、キャップの内筒と、内筒の下端に連設され、内筒に沿って切断溝を刻設した底壁とから構成され、押下げ部材は、頂壁と、下端に切断刃を設けた周壁とから構成され、押下げ部材の頂壁と、キャップの上壁との間に、係止部材が配設されていることを特徴とする。【選択図】  図１
2006103696.tif 000002
【特許請求の範囲】
【請求項１】
内容液を収納した容器と、押下げ部材と係止部材とを装着し、容器の内容液とは異なる内容物を収納する収納部を設けたキャップとからなる二種内容物混合容器であって、
キャップの内容物の収納部は、キャップの内筒と、内筒の下端に連設され、内筒に沿って切断溝を刻設した底壁とから構成され、
押下げ部材は、頂壁と、下端に切断刃を設けた周壁とから構成され、
押下げ部材の頂壁と、キャップの上壁との間に、係止部材が配設されていることを特徴とする二種内容物混合容器。
【請求項２】
キャップ内筒の上端部内周と、押下げ部材の周壁外周に、係合突条が設けられていることを特徴とする請求項１記載の二種内容物混合容器。
【請求項３】
係止部材が、上下方向に延びる切断可能な薄肉部または連結片に設けた筒体によって構成され、薄肉部に近接してつまみ部が連設されていることを特徴とする請求項１、２記載の二種内容物混合容器。
【請求項４】
係止部材が、キャップの上壁と、切断可能な薄肉部、または連結片によって連設されていることを特徴とする請求項３記載の二種内容物混合容器。
【発明の詳細な説明】
【技術分野】
【０００１】
本発明は、二種内容物混合容器、とくに液体、または粉体を収納したキャップの収納部を開封し、その内容物を容器内の内容液に混合して使用するようにした二種内容物混合容器に関するものである。
【背景技術】
【０００２】
第１容器のキャップに、第１容器の内容液とは種類の異なる液体、または粉体を収納した第２容器を取着した容器において、キャップの開封時に、第２容器の底板を、薄肉部を破断して開き、内容物を第１容器の内容液に混合するようにした混合容器（例えば特許文献参照）、或いは、第２容器の底蓋を取外して、内容物を第１容器の内容液に混合するようにした混合容器（例えば特許文献２参照）は、従来より知られている。
内容物の混合は、いずれの混合容器でも、キャップを開蓋するだけできわめて容易に行うことができた。
【特許文献１】特開平１０−３２９８７４号公報
【特許文献２】特開平７−３００１６２号公報
【発明の開示】
【発明が解決しようとする課題】
【０００３】
しかしながら、上記各特許文献記載の従来技術では、第２容器とキャップとは一体成形されており、第２容器の上部が、キャップの上端から突出している。
混合後には、突出部分は全く不要な部分であり、使用時に、キャップを開閉する場合、突出した部分がキャップ把持のための制約を与えることになっている。
【０００４】
本発明は、上記の問題を考慮し、混合物の混合後には、異種内容物を収納する収納部を構成する押下げ部材をキャップ内に押込み、キャップの把持、開閉操作が容易にできるようにした二種内容物混合容器を提供することを目的とする。
【課題を解決するための手段】
【０００５】
本発明は、上記の課題を解決するため、二種内容物混合容器として、内容液を収納した容器と、押下げ部材と係止部材とを装着し、容器の内容液とは異なる内容物を収納する収納部を設けたキャップとからなる二種内容物混合容器であって、キャップの内容物の収納部は、キャップの内筒と、内筒の下端に連設され、内筒に沿って切断溝を刻設した底壁とから構成され、押下げ部材は、頂壁と、下端に切断刃を設けた周壁とから構成され、押下げ部材の頂壁と、キャップの上壁との間に、係止部材が配設されていることを特徴とする構成を採用する。
【０００６】
キャップ内筒と押下げ部材の密封するための実施例として、キャップ内筒の上端部内周と、押下げ部材の周壁外周に、係合突条が設けられていることを特徴とする構成を採用する。
【０００７】
係止部材の実施例として、係止部材が、上下方向に延びる切断可能な薄肉部または連結片に設けた筒体によって構成され、薄肉部に近接してつまみ部が連設されていることを特徴とする構成を採用し、さらにまた、係止部材が、キャップの上壁と、切断可能な薄肉部、または連結片によって連設されていることを特徴とする構成を採用する。
【発明の効果】
【０００８】
本発明の混合容器は、押下げ部材と係止部材を装着し、混合する内容物の収納部を設けたキャップを具え、係止部材を取外して押下げ部材を押下げることによって、キャップの収納部を開封して内容物を混合させるようにしているので、混合のための操作が容易に行われるようになった。
混合後に押下げ部材の頂壁が、キャップの上壁に近接して位置しているので、使用中のキャップの開閉操作が容易に行われるようになった。
【０００９】
係止部材を取外すことによって、押下げ部材を押下げ可能とするので、流通過程や商品陳列時における押下げ、誤操作を防止することができる。
【発明を実施するための最良の形態】
【００１０】
次に、本発明の二種内容物混合容器について実施例を挙げ、図面を参照して説明する。
【実施例１】
【００１１】
図１において、Ａは内容液を収納した容器、Ｂは収納部を設けたキャップ、ＣはキャップＢに装着された押下げ部材、Ｄは係止部材である。
容器Ａは、口筒部１と肩部２，胴部３と底部とからなり、口筒部１の外周にはねじ４が螺設され、その下方には、ネックリング５が突設されている。
【００１２】
図１、２に示すように、キャップＢは、外筒６と上壁７、内筒８とを具えており、外筒６の内周面には、口筒部１のねじ４に螺合するねじ９が螺設されている。
外筒６の下端には、等間隔をおいて配設された切断可能な複数の連結片１０を介して係止リング１１が連設されており、係止リング１１の下方内周には、ネックリング５の下面に係合する係止突条１２が突設されている。
【００１３】
上壁７の内周縁には、係合リング１３が立設されており、該係合リング１３の上端外周には、係止環１４が設けられている。
【００１４】
内筒８の外周面の上部は、口筒部１の内周面に嵌合され、内筒８の内周上端には、係合突条１５が設けられている。
内筒８の下端には、底壁１６が連設されており、該底壁１６には、内筒８内周に沿って切断溝１７が刻設されている。
【００１５】
キャップＢの内筒８と底壁１６によって、容器Ａの内容液とは異なる液体、または粉体等の内容物の収納部が形成されるようになっている。
【００１６】
押下げ部材Ｃは、頂壁２０と、該頂壁２０の周縁より内側に垂設された筒状の周壁２１とからなり、頂壁２０と周壁２１によって内容物の収納部Ｃ１が形成されている。
頂壁２０の外周縁と周壁２１外周面との間には、環状のフランジ部２２が形成されており、周壁２１の中間位置には、キャップＢの内筒８の係合突条１５に係合する係合突条２３が設けられ、押下げ部材ＣがキャップＢの内筒８から抜け出さないようになっている。
周壁２１の下端は、斜めに切截され、端縁には、内筒８の底壁１６の切断溝１７を切断する切断刃２４が形成されている。
【００１７】
図２、３に示すように、係止部材Ｄは、キャップＢ上壁７と押下げ部材Ｃの頂壁２０のフランジ部２２との間に、嵌挿される筒体２５によって構成されている。
筒体２５の所定位置には、上下方向に延びる薄肉部２６が設けられて弱化ラインが形成されており、薄肉部２６に並行して突出する連結片２７によってつまみ部２８が連設されている。
筒体２５の内周下端には、キャップＢ上壁７に設けられた係合リング１３の係止環１４に係合する係合環２９が設けられている。
【００１８】
上記実施例では、薄肉部２６によって弱化ラインを形成したが、薄肉部にかえて、切断可能な複数の連結片によって弱化ラインを形成するようにしてもよい。
【００１９】
次に、本実施例混合容器の使用態様と作用効果について説明する。
まず始めに、混合容器を形成させる方法について説明する。
図４に示すように、押下げ部材Ｃを頂壁２０を下にして倒立させ、周壁２１に係止部材Ｄを嵌挿し、液体、または粉末等、容器Ａに収納する内容液とは異なる内容物を、押下げ部材Ｃの収納部Ｃ１に入れる。
【００２０】
次いで、キャップＢを倒立状態として、押下げ部材Ｃの周壁２１に嵌挿して収納部Ｃ１に封鎖する。
その際、キャップＢ内筒８の係合突条１５が、押下げ部材Ｃの周壁２１に設けられた係合突条２３を乗り越え、また、キャップＢの係合リング１３の係止環１４は、係止部材Ｄの筒体２５の下端の係合環２９を乗り越えて、係合突条１５と係合突条２３、係止環１４と係合環２９がそれぞれ係止して、キャップＢが、押下げ部材Ｃと係止部材Ｄに締着される。
かくして、キャップＢと押下げ部材Ｃの収納部Ｃ１との間に、内容物を収納したキャップＢが得られる。
【００２１】
一方、容器Ａ内に内容液が入れられ、押下げ部材Ｃと締着されたキャップＢが、容器Ａの口筒部１に螺着され、二種類の内容物を収納した混合容器が得られる。
【００２２】
混合容器の使用にあたっては、まず始めに、係止部材Ｄを取外す。
取外しは、係止部材Ｄのつまみ部２８を外方に引張ると、弱化ラインを形成する薄肉部２６が切断され、さらに、つまみ部２８を引廻していくと、キャップＢの上壁７と押下げ部材Ｃのフランジ部２２との間から、係止部材Ｄを取外すことができる。
【００２３】
次に、押下げ部材Ｃの頂壁２０を上から押圧していくと、周壁２１が下降し、下端の切断刃２４によってキャップＢ底壁１６の切断溝１７を切断して、押下げ部材ＣとキャップＢ内筒８内に収納された内容物を容器Ａ内に落下させ、二種類の内容物を混合させることができる。
【００２４】
押下げ完了時には、図５に示すように、押下げ部材Ｃの頂壁２０のフランジ部２２が、キャップＢ上壁７の係合リング１３上端に接合し、周壁２１の係合突条２３が内筒８の内周に、内筒８の係合突条１５が周壁２１の外周に嵌合して、キャップＢと押下げ部材Ｃとの間を密封し、両者を嵌着する。
次いで、キャップＢを強く廻動させ、上昇させると、連結片１０が切断され、キャップＢが自由に上下動させることができるようになり、キャップＢを開閉することができる。
キャップＢを開いて容器Ａを傾けると、口筒部１から混合液を注出することができる。
【００２５】
本実施例の混合容器では、押下げ部材Ｃのフランジ部２２とキャップＢの上壁７との間に係止部材Ｄを挿入し、押下げ部材Ｃを定位置に維持しているので、流通過程や商品の陳列時における押下げ部材の押圧、誤操作を防ぎ、二種類の内容物の混合を阻止している。
そして、弱化ラインを切断することによって、始めて係止部材Ｄを取外すことができるので、弱化ラインの非切断によって、混合容器の未開封、内容物の安全性を保障することができる。
【００２６】
押下げ部材Ｃの押下げによって、二種類の内容物を混合し、混合後には、押下げ部材Ｃは、押下げ状態を維持して、キャップＢに締着しているので、キャップＢの外筒６と、押下げ部材Ｃの頂壁２０をもって、キャップＢを廻動操作できるので、開閉が容易にできるようになった。
【実施例２】
【００２７】
次に、係止部材の構成と、キャップへの取付構造を変更した第２実施例について説明する。
前記第１実施例と同一の構成部品については、同一の符号をもって図示して説明を省略し、以下相違点を中心に説明する。
図６、７において、Ａは容器、Ｂａは収納部を設けたキャップ、Ｃは押下げ部材、Ｄａは係止部材である。
【００２８】
キャップＢａの上壁７ａには、等間隔をおいて配設された複数の連結片３０によって、係止部材Ｄａが連設されている。
係止部材Ｄａは、連結片３０を介してキャップＢａと一体成形された筒体３１によって形成され、筒体３１の上端内周には、押下げ部材Ｃのフランジ部２２が嵌挿される段差３２が設けられている。
【００２９】
筒体３１の外周面には、上下方向に延びる薄肉部３３、または切断可能な複数の連結片により弱化ラインが形成されており、薄肉部３３に沿って突出する連結片３４を介してつまみ部３５が連設されている。
混合容器の組立にあたって、収納部Ｃ１に内容物を入れ、倒立させた押下げ部材Ｃに係止部材Ｄａを連設したキャップＢａを嵌挿していくと、係止部材Ｄａの段差３２が、押下げ部材Ｃを定位置に維持して嵌挿締着される。
【００３０】
本実施例の混合容器の使用態様と作用効果は、前記第１実施例のそれと同一である。
【００３１】
上記実施例において、係止部材Ｄａを複数の連結片３０によってキャップＢａに連設したが、全周にわたる薄肉部を介して連結してもよい。
【実施例３】
【００３２】
次に、係止部材の構成を変更した第３実施例について説明する。
前記第２実施例と同一の構成部品については、同一の符号をもって図示して説明を省略し、以下、相違点を中心に説明する。
図８、９において、Ａは容器、Ｂｂは収納部を設けたキャップ、Ｃは押下げ部材、Ｄｂは係止部材である。
【００３３】
キャップＢｂの上壁７ｂには、全周にわたる薄肉部４０が配設され、該薄肉部４０には、係止部材Ｄｂが連設されている。
係止部材Ｄｂは、薄肉部４０を介してキャップＢｂと一体成形された筒体４１によって形成されており、筒体４１の上端内周には、押下げ部材Ｃのフランジ部２２が嵌挿される段差４２が設けられている。
【００３４】
筒体４１の外周面には、上下方向に延びる二本の薄肉部４３ａ、４３ｂが刻設されており、薄肉部４３ａ、４３ｂの間は、除去部４４となっている。
右側の薄肉部４３ｂの下方には、連結部が残されており、薄肉部４３ｂの長さは薄肉部４３ａより短くされている。
除去部４４の上端の左右から外方に延びる連結片４５ａ、４５ｂが連設され、連結片４５ａ、４５ｂの端部には、Ｕ字形の把手４６が連設されている。
【００３５】
混合容器の使用にあたって、把手４６を引張ると、図１０に示すように、薄肉部４３ａ、４３ｂが連結部を残して切断され、同時に除去部４４下方の薄肉部４０が切断される。
把手４６を、さらに右方に引廻して行くと、薄肉部４３ｂ下方の連結部によって筒体４１が引張られ、薄肉部４０の全周が引裂かれて係止部材Ｄｂを取外すことができる。
【００３６】
使用にあたっては、前記第１実施例と同様の作用効果を得ることができる。
【００３７】
上記実施例では、係止部材ＤａとキャップＢａを薄肉部４０を介して連設されているが、第２実施例と同様の複数の連結片で連設してもよく、把手４６を右方に引廻して行くことによって、順次切断していくことができる。
【００３８】
前記実施例では、把手を除去部の上端に連設したが、除去部の下端部に連設してもよく、また、上下方向の薄肉部は、一本だけであってもよい。
【００３９】
前記各実施例では、キャップの内筒８下端に底壁１６を連設しているが、内筒８下端にアルミシールを接着して密封してもよい。
【産業上の利用可能性】
【００４０】
本発明の混合容器は、押下げ部材を装着し、容器の内容液とは異なる内容物の収納部を設けたキャップを容器に取着し、押下げ部材を押下げることによってキャップの収納部を開いて、二種類の内容物を混合させるようにし、混合後には、押下げ部材を押下げた状態でキャップの開閉操作ができるようにしたので、混合容器として、操作性がきわめて向上した。
したがって、本発明の混合容器は、薬品、飲食料、その他の混合容器として、広く利用することができる。
【図面の簡単な説明】
【００４１】
【図１】本発明第１実施例の混合容器の一部断面立面図である。
【図２】キャップと押下げ部材、係止部材の分解説明図である。
【図３】係止部材の斜視図である。
【図４】内容物収納時の説明図である。
【図５】二種内容物を混合した混合容器の断面立面図である。
【図６】第２実施例の混合容器の一部断面立面図である。
【図７】押下げ部材を装着したキャップの斜視図である。
【図８】第３実施例の混合容器の一部断面立面図である。
【図９】押下げ部材を装着したキャップの斜視図である。
【図１０】係止部材の取外し時のキャップの斜視図である。
【符号の説明】
【００４２】
Ａ              容器
Ｂ、Ｂａ、Ｂｂ  キャップ
Ｃ              押下げ部材
Ｃ１            収納部
Ｄ、Ｄａ、Ｄｂ  係止部材
１              口筒部
２              肩部
３              胴部
４、９          ねじ
５              ネックリング
６              外筒
７、７ａ、７ｂ  上壁
８              内筒
１０、２７、３０、３４、４５ａ，ｂ  連結片
１１            係止リング
１２            係止突条
１３            係合リング
１４            係止環
１５、２３      係合突条
１６            底壁
１７            切断溝
２０            頂壁
２１            周壁
２２            フランジ部
２４            切断刃
２５、３１、４１  筒体
２６、３３、４０、４３ａ，ｂ  薄肉部
２８、３５      つまみ部
２９            係合環
３２、４２      段差
４４            除去部
４６            把手
【図１】
2006103696.tif 000003
【図２】
2006103696.tif 000004
【図３】
2006103696.tif 000005
【図４】
2006103696.tif 000006
【図５】
2006103696.tif 000007
【図６】
2006103696.tif 000008
【図７】
2006103696.tif 000009
【図８】
2006103696.tif 000010
【図９】
2006103696.tif 000011
【図１０】
2006103696.tif 000012
【手続補正書】
【提出日】平成16年10月1日(2004.10.1)
【手続補正１】
【補正対象書類名】特許請求の範囲
【補正対象項目名】請求項３
【補正方法】変更
【補正の内容】
【請求項３】
係止部材が、上下方向に延びる切断可能な薄肉部または連結片により弱化ラインを設けた筒体によって構成され、弱化ラインに近接してつまみ部が連設されていることを特徴とする請求項１、２記載の二種内容物混合容器。
【手続補正２】
【補正対象書類名】明細書
【補正対象項目名】０００７
【補正方法】変更
【補正の内容】
【０００７】
係止部材の実施例として、係止部材が、上下方向に延びる切断可能な薄肉部または連結片により弱化ラインを設けた筒体によって構成され、弱化ラインに近接してつまみ部が連設されていることを特徴とする構成を採用し、さらにまた、係止部材が、キャップの上壁と、切断可能な薄肉部、または連結片によって連設されていることを特徴とする構成を採用する。